(57)【特許請求の範囲】
【請求項１】
ワイヤレス通信のための方法であって、
第1のタイミング構成に従う第1のシンボル期間の間にメッセージを受信するステップであって、前記メッセージがデータメッセージとスケジューリング要求(SR)のうち1つを含む、ステップと、
前記第1のシンボル期間よりも短い復号時間期間の間に前記メッセージを復号するステップと、
前記復号に少なくとも部分的に基づいて、前記受信されたメッセージに応答を送信するステップであって、前記応答が、第2のタイミング構成に従う第2のシンボル期間の間に送信され、前記第2のタイミング構成が、所定のオフセットに従って、前記第1のタイミング構成に対してずらして配置されており、前記応答がハイブリッド自動再送要求(HARQ)フィードバックメッセージまたはアップリンク(UL)許可のうち1つを含む、ステップと、
を含む、方法。
【請求項２】
前記HARQフィードバックメッセージが否定応答(NACK)メッセージを含み、
前記方法が、第3のシンボル期間の間に前記メッセージの再送信を受信するステップをさらに含み、3つ未満のシンボル期間が、前記第1のタイミング構成に従う前記第1のシンボル期間と前記第3のシンボル期間との間にある、
請求項1に記載の方法。
【請求項３】
前記UL許可を使用してULメッセージを受信するステップをさらに含む、請求項1に記載の方法。
【請求項４】
前記第2のシンボル期間が前記第1のタイミング構成の第3のシンボル期間の前に始まり、前記第3のシンボル期間が前記第1のシンボル期間の直後に続く、請求項1に記載の方法。
【請求項５】
前記第1のシンボル期間および前記第3のシンボル期間がダウンリンク(DL)シンボル期間を含み、前記第2のシンボル期間がULシンボル期間を含む、請求項4に記載の方法。
【請求項６】
前記第2のシンボル期間が、前記第1のタイミング構成に従う前記第1のシンボル期間に続く前記第1のシンボル期間の長さの2分の1の後に始まり、前記第2のシンボル期間の長さが、前記第1のシンボル期間の前記長さに等しい、請求項1に記載の方法。
【請求項７】
ワイヤレス通信のための方法であって、
第1のシンボル期間の間にメッセージを受信するステップであって、前記メッセージがデータメッセージとスケジューリング要求(SR)のうち1つを含む、ステップと、
前記第1のシンボル期間よりも短い復号時間期間の間に前記メッセージを復号するステップと、
制御チャネルタイミング構成に従う第2のシンボル期間の間に前記復号に基づいて前記メッセージに応答を送るステップであって、前記制御チャネルタイミング構成が、アップリンク(UL)制御チャネルタイミング構成と、ダウンリンク(DL)制御チャネルタイミング構成とを含み、データチャネルタイミング構成よりも短いシンボル持続時間に基づき、前記応答がHARQフィードバックメッセージまたはUL許可のうち1つを含む、ステップと、
を含む方法。
【請求項８】
前記DL制御チャネルタイミング構成が、オフセットに従って、前記UL制御チャネルタイミング構成に対してずらして配置されている、請求項7に記載の方法。
【請求項９】
前記オフセットが所定のオフセットを含む、請求項8に記載の方法。
【請求項１０】
前記メッセージがデータ送信を含み、前記データチャネルタイミング構成に基づく、請求項7に記載の方法。
【請求項１１】
前記HARQフィードバックメッセージが否定応答(NACK)メッセージを含み、
前記方法が、第3のシンボル期間の間に再送信を受信するステップをさらに含み、3つ未満のシンボル期間が、前記データチャネルタイミング構成に従う前記第1のシンボル期間と前記第3のシンボル期間との間にある、
請求項10に記載の方法。
【請求項１２】
前記UL許可を使用してULメッセージを受信するステップをさらに含む、請求項7に記載の方法。
【請求項１３】
前記第2のシンボル期間が前記第1のタイミング構成の第3のシンボル期間の前に始まり、前記第3のシンボル期間が前記第1のシンボル期間の直後に続く、請求項7に記載の方法。
【請求項１４】
前記第2のシンボル期間が、前記第1のタイミング構成に従う前記第1のシンボル期間に続く前記第1のシンボル期間の長さの2分の1の後に始まり、前記第2のシンボル期間の長さが、前記第1のシンボル期間の前記長さに等しい、請求項7に記載の方法。
【請求項１５】
ワイヤレス通信のための装置であって、
プロセッサと、
前記プロセッサに接続されたメモリと
を備え、
前記プロセッサは、
第1のタイミング構成に従う第1のシンボル期間の間にメッセージを受信するステップであって、前記メッセージがデータメッセージとスケジューリング要求(SR)のうち1つを含む、ステップと、
前記第1のシンボル期間よりも短い復号時間期間の間に前記メッセージを復号するステップと、
前記復号に少なくとも部分的に基づいて、前記受信されたメッセージに応答を送信するステップであって、前記応答が、第2のタイミング構成に従う第2のシンボル期間の間に送信され、前記第2のタイミング構成が、所定のオフセットに従って、前記第1のタイミング構成に対してずらして配置されており、前記応答がハイブリッド自動再送要求(HARQ)フィードバックメッセージまたはアップリンク(UL)許可のうち1つを含む、ステップと、
を行うように構成される、装置。
【請求項１６】
前記HARQフィードバックメッセージが否定応答(NACK)メッセージを含み、
前記プロセッサが、第3のシンボル期間の間に前記メッセージの再送信を受信するように構成され、3つ未満のシンボル期間が、前記第1のタイミング構成に従う前記第1のシンボル期間と前記第3のシンボル期間との間にある、
請求項15に記載の装置。
【請求項１７】
前記プロセッサが、前記UL許可を使用してULメッセージを受信するように構成される、請求項15に記載の装置。
【請求項１８】
前記第2のシンボル期間が前記第1のタイミング構成の第3のシンボル期間の前に始まり、前記第3のシンボル期間が前記第1のシンボル期間の直後に続く、請求項15に記載の装置。
【請求項１９】
前記第2のシンボル期間が、前記第1のタイミング構成に従う前記第1のシンボル期間に続く前記第1のシンボル期間の長さの2分の1の後に始まり、前記第2のシンボル期間の長さが、前記第1のシンボル期間の前記長さに等しい、請求項15に記載の装置。
【請求項２０】
前記第1のシンボル期間および前記第3のシンボル期間がDLシンボル期間であり、前記第2のシンボル期間がULシンボル期間である、請求項18に記載の装置。
【請求項２１】
ワイヤレス通信のための装置であって、
プロセッサと、
前記プロセッサに接続されたメモリと
を備え、
前記プロセッサは、
第1のシンボル期間の間にメッセージを受信するステップであって、前記メッセージがデータメッセージとスケジューリング要求(SR)のうち1つを含む、ステップと、
前記第1のシンボル期間よりも短い復号時間期間の間に前記メッセージを復号するステップと、
制御チャネルタイミング構成に従う第2のシンボル期間の間に前記復号に基づいて前記メッセージに応答を送るステップであって、前記制御チャネルタイミング構成が、アップリンク(UL)制御チャネルタイミング構成と、ダウンリンク(DL)制御チャネルタイミング構成とを含み、データチャネルタイミング構成よりも短いシンボル持続時間に基づき、前記応答がHARQフィードバックメッセージまたはUL許可のうち1つを含む、ステップと、
を行うように構成される、装置。
【請求項２２】
前記DL制御チャネルタイミング構成が、オフセットに従って、前記UL制御チャネルタイミング構成に対して時間的にずらして配置されている、請求項21に記載の装置。
【請求項２３】
前記オフセットが所定のオフセットを含む、請求項22に記載の装置。
【請求項２４】
前記HARQフィードバックメッセージが否定応答(NACK)メッセージを含み、
前記プロセッサが、第3のシンボル期間の間に再送信を受信するように構成され、3つ未満のシンボル期間が、前記データチャネルタイミング構成に従う前記第1のシンボル期間と前記第3のシンボル期間との間にある、
請求項21に記載の装置。
【請求項２５】
前記プロセッサが、前記UL許可を使用してULメッセージを受信するように構成される、請求項21に記載の装置。
【請求項２６】
前記第2のシンボル期間が前記第1のタイミング構成の第3のシンボル期間の前に始まり、前記第3のシンボル期間が前記第1のシンボル期間の直後に続く、請求項21に記載の装置。
【請求項２７】
前記第2のシンボル期間が、前記第1のタイミング構成に従う前記第1のシンボル期間に続く前記第1のシンボル期間の長さの2分の1の後に始まり、前記第2のシンボル期間の長さが、前記第1のシンボル期間の前記長さに等しい、請求項21に記載の装置。
【発明の詳細な説明】
【技術分野】
【０００１】
相互参照
本特許出願は、各々が本出願の譲受人に譲渡された、2015年6月25日に出願された「Ul/Dl Waveform and Numerology Design for Low Latency Communication」と題する、Bhushanらによる米国特許出願第14/750,719号、および2014年11月21日に出願された「Ul/Dl Waveform and Numerology Design for Low Latency Communication」と題する、Bhushanらによる米国仮特許出願第62/082,930号の優先権を主張する。
【０００２】
以下は、一般にワイヤレス通信に関し、より詳細には、低レイテンシ通信のためのアップリンク/ダウンリンク(UL/DL)波形およびヌメロロジー設計に関する。
【背景技術】
【０００３】
ワイヤレス通信システムは、音声、ビデオ、パケットデータ、メッセージング、ブロードキャストなどの様々なタイプの通信コンテンツを提供するために広く展開されている。これらのシステムは、利用可能なシステムリソース(たとえば、時間、周波数、および電力)を共有することによって複数のユーザとの通信をサポートすることが可能な多元接続システムであり得る。そのような多元接続システムの例は、符号分割多元接続(CDMA)システム、時分割多元接続(TDMA)システム、周波数分割多元接続(FDMA)システム、および直交周波数分割多元接続(OFDMA)システム、(たとえば、ロングタームエボリューション(LTE)システム)を含む。
【０００４】
例として、ワイヤレス多元接続通信システムは、場合によってはユーザ機器(UE)として知られていることがある複数の通信デバイスのための通信を各々が同時にサポートする、いくつかの基地局を含み得る。基地局は、ダウンリンクチャネル(たとえば、基地局からUEへの送信用)およびアップリンクチャネル(たとえば、UEから基地局への送信用)上で通信デバイスと通信し得る。
【０００５】
ワイヤレス通信システムは干渉および雑音を受ける場合があり、その結果、信号は原形をとどめなくなるほど乱される場合がある。したがって、ワイヤレスシステムは、信号受信を保証するためにハイブリッド自動再送要求(HARQ)を使用し得る。しかしながら、HARQの使用は、レイテンシを増加させ得る追加の復号遅延をもたらす場合がある。たとえば、UEは、送信を受信し、否定応答を送り、次いで、ラウンドトリップ遅延の後に再送信を受信する場合がある。ラウンドトリップ遅延も、UEがULリソースに対するスケジューリング要求(SR)を行うときにレイテンシをもたらす場合がある。
【発明の概要】
【課題を解決するための手段】
【０００６】
本開示は、一般にワイヤレス通信システムに関し、より詳細には、低レイテンシ通信のためのUL/DL波形およびヌメロロジー設計のための改善されたシステム、方法、または装置に関し得る。一例では、ワイヤレスシステムは、ダウンリンクのシンボル期間がアップリンクのシンボル期間からオフセットされている、千鳥状のアップリンク/ダウンリンク(UL/DL)フォーマットを使用し得る。したがって、ユーザ機器(UE)が第1のシンボル期間において送信を受信する場合、UEは、千鳥状のシンボル期間において(たとえば、第1のシンボル期間の後のシンボル期間の2分の1から始まるUL制御チャネルシンボル期間において)送信を復号し、応答を送信し得る。次いで、基地局は応答を受信し、応答が否定応答(NACK)である場合、第1のシンボル期間に続く第3のシンボル期間の間に再送信し得る。別の例では、薄い制御チャネルは、送信の受信と再送信の受信との間のラウンドトリップ時間を低減するために使用され得る。別の例では、ラウンドトリップ時間は、スケジューリング要求(SR)とUL送信との間に生じ得る。
【０００７】
UEにおけるワイヤレス通信のための方法について説明する。方法は、第1のタイミング構成に従う第1のシンボル期間の間にメッセージを受信するステップと、第1のシンボル期間よりも短い復号時間期間の間にメッセージを復号するステップと、復号に少なくとも部分的に基づいて、受信されたメッセージに応答を送信するステップであって、応答が、第2のタイミング構成に従う第2のシンボル期間の間に送信され、第2のタイミング構成が、所定のオフセットに従って、第1のタイミング構成に対してずらして配置されている、ステップとを含み得る。
【０００８】
UEにおけるワイヤレス通信のための装置について説明する。装置は、第1のタイミング構成に従う第1のシンボル期間の間にメッセージを受信するための手段と、第1のシンボル期間よりも短い復号時間期間の間にメッセージを復号するための手段と、復号に少なくとも部分的に基づいて、受信されたメッセージに応答を送信するための手段であって、応答が、第2のタイミング構成に従う第2のシンボル期間の間に送信され、第2のタイミング構成が、所定のオフセットに従って、第1のタイミング構成に対してずらして配置されている、手段とを含み得る。
【０００９】
UEにおけるワイヤレス通信のためのさらなる装置について説明する。装置は、プロセッサと、プロセッサに結合されたメモリとを含み得、プロセッサは、第1のタイミング構成に従う第1のシンボル期間の間にメッセージを受信することと、第1のシンボル期間よりも短い復号時間期間の間にメッセージを復号することと、復号に少なくとも部分的に基づいて、受信されたメッセージに応答を送信することであって、応答が、第2のタイミング構成に従う第2のシンボル期間の間に送信され、第2のタイミング構成が、所定のオフセットに従って、第1のタイミング構成に対してずらして配置されている、送信することとを行うように構成され得る。
【００１０】
UEにおけるワイヤレス通信のためのコードを記憶する非一時的コンピュータ可読媒体について説明する。コードは、第1のタイミング構成に従う第1のシンボル期間の間にメッセージを受信することと、第1のシンボル期間よりも短い復号時間期間の間にメッセージを復号することと、復号に少なくとも部分的に基づいて、受信されたメッセージに応答を送信することであって、応答が、第2のタイミング構成に従う第2のシンボル期間の間に送信され、第2のタイミング構成が、所定のオフセットに従って、第1のタイミング構成に対してずらして配置されている、送信することとを行うように実行可能な命令を含み得る。
【００１１】
上記で説明した方法、装置、または非一時的コンピュータ可読媒体のいくつかの例では、メッセージはデータメッセージを含み、応答はHARQフィードバックメッセージを含む。追加または代替として、いくつかの例では、HARQフィードバックメッセージはNACKメッセージを含み、方法、装置、または非一時的コンピュータ可読媒体は、第3のシンボル期間の間にメッセージの再送信を受信するステップ、第3のシンボル期間の間にメッセージの再送信を受信するための手段、または第3のシンボル期間の間にメッセージの再送信を受信するように構成されたコンピュータ可読プログラムコードを含み得、3つ未満のシンボル期間は、第1のタイミング構成に従う第1のシンボル期間と第3のシンボル期間との間にある。
【００１２】
上記で説明した方法、装置、または非一時的コンピュータ可読媒体のいくつかの例では、メッセージはSRであり、応答はUL許可であり、方法、装置、または非一時的コンピュータ可読媒体は、UL許可を使用してULメッセージを受信するステップ、UL許可を使用してULメッセージを受信するための手段、またはUL許可を使用してULメッセージを受信するように構成されたコンピュータ可読プログラムコードを含み得る。追加または代替として、いくつかの例では、第2のシンボル期間は第1のタイミング構成の第3のシンボル期間の前に始まり、第3のシンボル期間は第1のシンボル期間の直後に続く。いくつかの例では、第1のシンボル期間および第3のシンボル期間はDLシンボル期間であり、第2のシンボル期間はULシンボル期間である。
【００１３】
上記で説明した方法、装置、または非一時的コンピュータ可読媒体のいくつかの例では、第2のシンボル期間は、第1のタイミング構成に従う第1のシンボル期間に続く第1のシンボル期間の長さの2分の1の後に始まり、第2のシンボル期間の長さは、第1のシンボル期間の長さに等しい。
【００１４】
UEにおけるワイヤレス通信のための方法について説明する。方法は、第1のシンボル期間の間にメッセージを受信するステップと、第1のシンボル期間よりも短い復号時間期間の間にメッセージを復号するステップと、制御チャネルタイミング構成に従う第2のシンボル期間の間に復号に基づいてメッセージに応答を送るステップであって、制御チャネルタイミング構成が、データチャネルタイミング構成よりも短いシンボル持続時間に基づく、ステップとを含み得る。
【００１５】
UEにおけるワイヤレス通信のための装置について説明する。装置は、第1のシンボル期間の間にメッセージを受信するための手段と、第1のシンボル期間よりも短い復号時間期間の間にメッセージを復号するための手段と、制御チャネルタイミング構成に従う第2のシンボル期間の間に復号に基づいてメッセージに応答を送るための手段であって、制御チャネルタイミング構成が、データチャネルタイミング構成よりも短いシンボル持続時間に基づく、手段とを含み得る。
【００１６】
UEにおけるワイヤレス通信のためのさらなる装置について説明する。装置は、プロセッサと、プロセッサに結合されたメモリとを含み得、プロセッサは、第1のシンボル期間の間にメッセージを受信することと、第1のシンボル期間よりも短い復号時間期間の間にメッセージを復号することと、制御チャネルタイミング構成に従う第2のシンボル期間の間に復号に基づいてメッセージに応答を送ることであって、制御チャネルタイミング構成が、データチャネルタイミング構成よりも短いシンボル持続時間に基づく、送ることとを行うように構成され得る。
【００１７】
UEにおけるワイヤレス通信のためのコードを記憶する非一時的コンピュータ可読媒体について説明する。コードは、第1のシンボル期間の間にメッセージを受信することと、第1のシンボル期間よりも短い復号時間期間の間にメッセージを復号することと、制御チャネルタイミング構成に従う第2のシンボル期間の間に復号に基づいてメッセージに応答を送ることであって、制御チャネルタイミング構成が、データチャネルタイミング構成よりも短いシンボル持続時間に基づく、送ることとを行うように実行可能な命令を含み得る。
【００１８】
上記で説明した方法、装置、または非一時的コンピュータ可読媒体のいくつかの例では、制御チャネルタイミング構成は、アップリンク(UL)制御チャネルタイミング構成と、ダウンリンク(DL)制御チャネルタイミング構成とを含み、DL制御チャネル構成は、オフセットに従って、UL制御チャネルタイミング構成に対して時間的にずらして配置されている。加えて、いくつかの例では、オフセットは所定である。
【００１９】
上記で説明した方法、装置、または非一時的コンピュータ可読媒体のいくつかの例では、メッセージはデータチャネルタイミング構成に基づくデータ送信を含み、応答はHARQフィードバックメッセージを含む。追加または代替として、いくつかの例では、HARQフィードバックメッセージはNACKメッセージを含み、方法、装置、または非一時的コンピュータ可読媒体は、第3のシンボル期間の間に再送信を受信するステップ、第3のシンボル期間の間に再送信を受信するための手段、または第3のシンボル期間の間に再送信を受信するように構成されたコンピュータ可読プログラムコードを含み得、3つ未満のシンボル期間は、データチャネルタイミング構成に従う第1のシンボル期間と第3のシンボル期間との間にある。
【００２０】
上記で説明した方法、装置、または非一時的コンピュータ可読媒体のいくつかの例では、メッセージはSRであり、応答はUL許可であり、方法、装置、または非一時的コンピュータ可読媒体は、UL許可を使用してULメッセージを受信するステップ、UL許可を使用してULメッセージを受信するための手段、またはUL許可を使用してULメッセージを受信するように構成されたコンピュータ可読プログラムコードを含み得る。
【００２１】
上記で説明した方法、装置、または非一時的コンピュータ可読媒体のいくつかの例では、第2のシンボル期間は第1のタイミング構成の第3のシンボル期間の前に始まり、第3のシンボル期間は第1のシンボル期間の直後に続く。追加または代替として、いくつかの例では、第2のシンボル期間は、第1のタイミング構成に従う第1のシンボル期間に続く第1のシンボル期間の長さの2分の1の後に始まり、第2のシンボル期間の長さは、第1のシンボル期間の長さに等しい。
【００２２】
上記では、以下の発明を実施するための形態がより良く理解され得るように、本開示による例の特徴および技術的利点についてかなり広く概説した。以下で、追加の特徴および利点について説明する。開示する概念および特定の例は、本開示の同じ目的を実行するために他の構造を変更または設計するための基礎として容易に利用され得る。そのような等価な構造は、添付の特許請求の範囲から逸脱しない。本明細書で開示する概念の特性、それらの編成と動作方法の両方は、添付の図とともに検討されると、関連する利点とともに以下の説明からより良く理解されよう。図の各々は、特許請求の範囲の限界を定めるものとしてではなく、例示および説明のみの目的で与えられる。
【００２３】
以下の図面を参照すれば、本開示の性質および利点のさらなる理解が得られ得る。添付の図では、同様の構成要素または特徴は同じ参照ラベルを有し得る。さらに、同じタイプの様々な構成要素は、参照ラベルの後に、ダッシュと、同様の構成要素を区別する第2のラベルとを続けることによって区別され得る。第1の参照ラベルのみが本明細書で使用される場合、説明は、第2の参照ラベルにかかわらず、同じ第1の参照ラベルを有する同様の構成要素のうちのいずれにも適用可能である。
【図面の簡単な説明】
【００２４】
【図１】本開示の様々な態様による、低レイテンシ通信のためのワイヤレス通信システムの一例を示す図である。
【図２】本開示の様々な態様による、低レイテンシ通信のためのワイヤレス通信サブシステムの一例を示す図である。
【図３Ａ】本開示の様々な態様による、低レイテンシ通信のためのダウンリンクHARQタイムラインの一例を示す図である。
【図３Ｂ】本開示の様々な態様による、低レイテンシ通信のためのスケジューリング要求タイムラインの一例を示す図である。
【図３Ｃ】本開示の様々な態様による、低レイテンシ通信のための薄いシンボルダウンリンクHARQタイムラインの一例を示す図である。
【図３Ｄ】本開示の様々な態様による、低レイテンシ通信のための薄いシンボルスケジューリング要求タイムラインの一例を示す図である。
【図４Ａ】本開示の様々な態様による、低レイテンシ通信のためのプロセスフローの一例を示す図である。
【図４Ｂ】本開示の様々な態様による、低レイテンシ通信のためのプロセスフローの一例を示す図である。
【図５】本開示の様々な態様による、低レイテンシ通信のために構成されたデバイスのブロック図である。
【図６】本開示の様々な態様による、低レイテンシ通信のために構成されたデバイスのブロック図である。
【図７】本開示の様々な態様による、低レイテンシ通信のためのUL/DL波形およびヌメロロジー設計のために構成された低レイテンシ応答モジュールのブロック図である。
【図８】本開示の様々な態様による、低レイテンシ通信のためのUL/DL波形およびヌメロロジー設計のために構成されたUEを含むシステムのブロック図である。
【図９】本開示の様々な態様による、低レイテンシ通信のために構成された基地局を含むシステムのブロック図である。
【図１０】本開示の様々な態様による、低レイテンシ通信のための方法を示すフローチャートである。
【図１１】本開示の様々な態様による、低レイテンシ通信のための方法を示すフローチャートである。
【図１２】本開示の様々な態様による、低レイテンシ通信のためのUL/DL波形およびヌメロロジー設計のための方法を示すフローチャートである。
【図１３】本開示の様々な態様による、低レイテンシ通信のための方法を示すフローチャートである。
【図１４】本開示の様々な態様による、低レイテンシ通信のための方法を示すフローチャートである。
【図１５】本開示の様々な態様による、低レイテンシ通信のための方法を示すフローチャートである。
【発明を実施するための形態】
【００２５】
説明する特徴は、一般に、低レイテンシ通信のための改善されたシステム、方法、または装置に関する。いくつかのワイヤレス通信システムでは、アップリンクおよびダウンリンクは同じシンボル持続時間を有し得、送信時間間隔(TTI)の境界は同期し得る。加えて、UL/DLデータチャネル、制御チャネル、およびフィードバック/肯定応答(ACK)チャネルは、同じTTI/シンボル持続時間のものであり得る。しかしながら、TTI構造およびシンボル持続時間におけるそのような厳格さは、ハイブリッド自動再送要求(HARQ)レイテンシまたはスケジューリング要求(SR)レイテンシを増加させ得る。したがって、ワイヤレス通信システムは、復号遅延によるHARQレイテンシを低減するために、千鳥状のUL/DLシンボルを採用し得る。加えて、HARQレイテンシ全体を低減するために、短いシンボル期間が使用され得る。
【００２６】
以下の説明は、例を提供し、特許請求の範囲に記載の範囲、適用性、または例を限定するものではない。本開示の範囲から逸脱することなく、論じられる要素の機能および構成において変更が行われてもよい。様々な例は、適宜に、様々な手順または構成要素を省略、置換、または追加し得る。たとえば、説明する方法は、説明する順序とは異なる順序で実行され得、様々なステップが追加、省略、または組み合わされ得る。また、いくつかの例に関して説明する特徴は、他の例において組み合わされ得る。
【００２７】
図1は、本開示の様々な態様による、ワイヤレス通信システム100の一例を示す。ワイヤレス通信システム100は、基地局105、少なくとも1つのUE115、およびコアネットワーク130を含む。コアネットワーク130は、ユーザ認証、アクセス許可、トラッキング、インターネットプロトコル(IP)接続、および他のアクセス機能、ルーティング機能、またはモビリティ機能を提供し得る。基地局105は、バックホールリンク132(たとえば、S1など)を通じてコアネットワーク130とインターフェースする。基地局105は、UE115との通信のための無線構成およびスケジューリングを実行し得るか、または基地局コントローラ(図示せず)の制御下で動作し得る。様々な例では、基地局105は、ワイヤード通信リンクまたはワイヤレス通信リンクであり得るバックホールリンク134(たとえば、X1など)を介して、直接的にまたは間接的に(たとえば、コアネットワーク130を通じて)のいずれかで、互いと通信し得る。
【００２８】
基地局105は、1つまたは複数の基地局アンテナを介して、UE115とワイヤレス通信し得る。基地局105の各々は、それぞれの地理的カバレージエリア110に通信カバレージを提供し得る。いくつかの例では、基地局105は、トランシーバ基地局、無線基地局、アクセスポイント、無線トランシーバ、ノードB、eノードB(eNB)、ホームノードB、ホームeノードB、または何らかの他の適切な用語で呼ばれることがある。基地局105の地理的カバレージエリア110は、カバレージエリアの一部分のみを構成するセクタ(図示せず)に分割され得る。ワイヤレス通信システム100は、異なるタイプの基地局105(たとえば、マクロセル基地局またはスモールセル基地局)を含み得る。異なる技術のための重複する地理的カバレージエリア110があり得る。
【００２９】
いくつかの例では、ワイヤレス通信システム100は、ロングタームエボリューション(LTE)/LTEアドバンスト(LTE-A)ネットワークである。LTE/LTE-Aネットワークでは、発展型ノードB(eNB)という用語は、一般に基地局105を表すために使用され得るが、UEという用語は、一般にUE115を表すために使用され得る。ワイヤレス通信システム100は、異なるタイプのeNBが様々な地理的領域にカバレージを提供する異種LTE/LTE-Aネットワークであり得る。たとえば、各eNBまたは基地局105は、マクロセル、スモールセル、または他のタイプのセルに通信カバレージを提供し得る。「セル」という用語は、文脈に応じて、基地局、基地局に関連付けられたキャリアもしくはコンポーネントキャリア、またはキャリアもしくは基地局のカバレージエリア(たとえば、セクタなど)を表すために使用され得る3GPP用語である。
【００３０】
マクロセルは、一般に、比較的大きい地理的エリア(たとえば、半径数キロメートル)をカバーし、ネットワークプロバイダのサービスに加入しているUE115による無制限アクセスを可能にし得る。スモールセルは、マクロセルと比較すると、マクロセルと同じまたはマクロセルとは異なる(たとえば、認可、無認可など)周波数帯域で動作し得る低電力基地局である。スモールセルは、様々な例によるピコセル、フェムトセル、およびマイクロセルを含み得る。ピコセルは、たとえば、小さい地理的エリアをカバーし得、ネットワークプロバイダのサービスに加入しているUE115による無制限アクセスを可能にし得る。フェムトセルも、小さい地理的エリア(たとえば、自宅)をカバーし得、フェムトセルとの関連を有するUE115(たとえば、限定加入者グループ(CSG)内のUE115、自宅内のユーザのためのUE115など)による限定アクセスを提供し得る。マクロセルのためのeNBは、マクロeNBと呼ばれることがある。スモールセルのためのeNBは、スモールセルeNB、ピコeNB、フェムトeNB、またはホームeNBと呼ばれることがある。eNBは、1つまたは複数(たとえば、2つ、3つ、4つなど)のセル(たとえば、コンポーネントキャリア)をサポートし得る。
【００３１】
ワイヤレス通信システム100は、同期動作または非同期動作をサポートし得る。同期動作の場合、基地局105は、同様のフレームタイミングを有し得、異なる基地局105からの送信は、時間的にほぼ整合され得る。非同期動作の場合、基地局105は、異なるフレームタイミングを有し得、異なる基地局105からの送信は、時間的に整合されないことがある。本明細書で説明する技法は、同期動作または非同期動作のいずれかに使用され得る。
【００３２】
様々な開示する例のいくつかに適応し得る通信ネットワークは、階層化プロトコルスタックに従って動作するパケットベースネットワークであり得、ユーザプレーンにおけるデータは、IPに基づき得る。無線リンク制御(RLC)レイヤは、論理チャネルを介して通信するために、パケットのセグメンテーションおよびリアセンブリを実行し得る。媒体アクセス制御(MAC)レイヤは、優先度処理および論理チャネルのトランスポートチャネルへの多重化を実行し得る。MACレイヤはまた、MACレイヤにおける再送信を行ってリンク効率を改善するために、ハイブリッド自動再送要求(HARQ)を使用し得る。制御プレーンでは、無線リソース制御(RRC)プロトコルレイヤは、UE115と基地局105との間のRRC接続の確立、構成、および維持を提供し得る。RRCプロトコルレイヤはまた、ユーザプレーンデータのための無線ベアラのコアネットワーク130サポートに使用され得る。物理(PHY)レイヤにおいて、トランスポートチャネルは物理チャネルにマッピングされ得る。
【００３３】
HARQは、データがワイヤレス通信リンク125を介して正確に受信されることを保証する方法であり得る。HARQは、(たとえば、巡回冗長検査(CRC)を使用する)誤り検出、前方誤り訂正(FEC)、および再送信(たとえば、自動再送要求(ARQ))の組合せを含み得る。HARQは、劣悪な無線状態(たとえば、信号対雑音状態)でのMACレイヤにおけるスループットを改善し得る。インクリメンタル冗長(Incremental Redundancy)HARQでは、不正確に受信されたデータは、データの復号に成功する可能性全体を高めるために、バッファに記憶され、後続の送信と組み合わされ得る。場合によっては、冗長ビットは、送信前に各メッセージに追加される。これは、劣悪な状態において特に有用であり得る。他の場合には、冗長ビットは各送信に追加されないが、情報を復号しようとする試みの失敗を示す否定応答(NACK)を元のメッセージの送信機が受信した後に再送信される。
【００３４】
UE115は、ワイヤレス通信システム100全体にわたって分散され得、各UE115は、固定またはモバイルであり得る。UE115はまた、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の適切な用語を含むことがあり、または当業者によってそのように呼ばれることがある。UE115は、セルラーフォン、携帯情報端末(PDA)、ワイヤレスモデム、ワイヤレス通信デバイス、ハンドヘルドデバイス、タブレットコンピュータ、ラップトップコンピュータ、コードレスフォン、ワイヤレスローカルループ(WLL)局などであり得る。UEは、マクロeNB、スモールセルeNB、中継基地局などを含む、様々なタイプの基地局およびネットワーク機器と通信することが可能であり得る。
【００３５】
ワイヤレス通信システム100に示すワイヤレス通信リンク125は、UE115から基地局105へのUL送信、または基地局105からUE115へのダウンリンク(DL)送信を含み得る。ダウンリンク送信は順方向リンク送信と呼ばれることもあり、一方、アップリンク送信は逆方向リンク送信と呼ばれることもある。各ワイヤレス通信リンク125は、1つまたは複数のキャリアを含み得、各キャリアは、上記で説明した様々な無線技術に従って変調された複数のサブキャリア(たとえば、異なる周波数の波形信号)からなる信号であり得る。各被変調信号は、異なるサブキャリア上で送られてもよく、制御情報(たとえば、基準信号、制御チャネルなど)、オーバーヘッド情報、ユーザデータなどを搬送し得る。通信リンク125は、周波数分割複信(FDD)動作(たとえば、対スペクトルリソースを使用する)または時分割複信(TDD)動作(たとえば、不対スペクトルリソースを使用する)を使用して、双方向通信を送信し得る。FDD(たとえば、フレーム構造タイプ1)およびTDD(たとえば、フレーム構造タイプ2)に対するフレーム構造が定義され得る。
【００３６】
ワイヤレス通信システム100のいくつかの実施形態では、基地局105またはUE115は、アンテナダイバーシティ方式を採用して基地局105とUE115との間の通信品質および信頼性を改善するための複数のアンテナを含み得る。追加または代替として、基地局105またはUE115は、同じまたは異なるコード化データを搬送する複数の空間レイヤを送信するためにマルチパス環境を利用し得る、多入力多出力(MIMO)技法を採用し得る。
【００３７】
ワイヤレス通信システム100は、複数のセルまたはキャリア上の動作をサポートし得、この機能は、キャリアアグリゲーション(CA)またはマルチキャリア動作と呼ばれることがある。キャリアは、コンポーネントキャリア(CC)、レイヤ、チャネルなどと呼ばれることもある。「キャリア」、「コンポーネントキャリア」、「セル」、および「チャネル」という用語は、本明細書で互換的に使用され得る。UE115は、キャリアアグリゲーションのための複数のダウンリンクCCおよび1つまたは複数のアップリンクCCとともに構成され得る。キャリアアグリゲーションは、FDDコンポーネントキャリアとTDDコンポーネントキャリアの両方とともに構成され得る。
【００３８】
通信リンク125は、特定のタイプの情報に専用の1つまたは複数のチャネルを含み得る。たとえば、物理ダウンリンク制御チャネル(PDCCH)は、9つの論理的に隣接するリソース要素グループ(REG)で構成され得る制御チャネル要素(CCE)においてダウンリンク制御情報(DCI)を搬送し、各REGは、4つのリソース要素(RE)を含む。DCIは、DLスケジューリング割当て、ULリソース許可、送信方式、UL電力制御、HARQ情報、変調およびコーディング方式(MCS)ならびに他の情報に関する情報を含む。DCIメッセージのサイズおよびフォーマットは、DCIによって搬送される情報のタイプおよび量に応じて異なる場合がある。たとえば、空間多重化がサポートされる場合、DCIメッセージのサイズは、連続周波数割振りと比較して大きい。同様に、MIMOを採用するシステムの場合、DCIは追加のシグナリング情報を含まなければならない。DCIのサイズおよびフォーマットは、情報の量ならびに帯域幅、アンテナポートの数、および複信モードなどの要因に依存する。
【００３９】
場合によっては、PDCCH送信は、複数のユーザに関連付けられたDCIメッセージを搬送することができ、各UE115は、そのUE115に宛てられたDCIメッセージを復号し得る。たとえば、各UE115は、セル無線ネットワーク一時識別子(C-RNTI)を割り振られてもよく、各DCIにアタッチされたCRCビットは、C-RNTIに基づいてスクランブルされてもよい。ユーザ機器における電力消費量およびオーバーヘッドを低減するために、特定のUE115に関連付けられたDCIに対して、CCEロケーションの限定されたセットが指定され得る。CCEは(たとえば、1つ、2つ、4つおよび8つのCCEのグループに)グループ化されてもよく、ユーザ機器が関連するDCIを見つけることができるCCEロケーションのセットが指定され得る。これらのCCEは、探索空間として知られている場合がある。探索空間は、2つの領域、すなわち、共通CCE領域または探索空間とUE固有(専用)CCE領域または探索空間に区分され得る。共通CCE領域は、基地局105によってサービスされるすべてのUEによって監視され、ページング情報、システム情報、ランダムアクセス手順などの情報を含み得る。UE固有の探索空間は、ユーザ固有の制御情報を含み得る。CCEはインデックス付けされてもよく、共通探索空間は常にCCE0から始まる。UE固有の探索空間の開始インデックスは、C-RNTI、サブフレームインデックス、CCEアグリゲーションレベルおよびランダムシードに依存する。UE115は、ブラインド復号として知られるプロセスを実行することによって、DCIを復号しようと試みることができ、ブラインド復号の間、探索空間は、DCIが検出されるまでランダムに復号される。ブラインド復号の間、ユーザ機器は、そのC-RNTIを使用してすべての潜在的なDCIメッセージを逆スクランブルしようと試み、試みが成功したかどうかを判断するためにCRC検査を実行することができる。
【００４０】
物理アップリンク制御チャネル(PUCCH)は、コードおよび2つの連続するリソースブロックによって定義された制御チャネルにマッピングされ得る。UL制御シグナリングは、セルのタイミング同期の存在に依存し得る。スケジューリング要求(SR)およびチャネル品質インジケータ(CQI)報告のためのPUCCHリソースは、RRCシグナリングを通じて割り振られ(および失効され)得る。場合によっては、SRのためのリソースは、ランダムアクセスチャネル(RACH)手順を通じて、同期を獲得した後に割り振られ得る。他の場合には、SRは、RACHを通じてUE115に割り振られないことがある(すなわち、同期したUEは、専用SRチャネルを有することもあり、有しないこともある)。UEがもはや同期しなくなったとき、SRおよびCQIのためのPUCCHリソースは失われ得る。
【００４１】
LTEにおける時間間隔は、基本時間単位(たとえば、サンプリング周期、Ts=1/30,720,000秒)の倍数で表され得る。時間リソースは、10ms(Tf=307200・Ts)の長さの無線フレームに従って編成され得、無線フレームは、0から1023に及ぶシステムフレーム番号(SFN)によって識別され得る。各フレームは、0から9の番号が付けられた10個の1msサブフレームを含み得る。サブフレームは、2つの.5msスロットにさらに分割され得、スロットの各々は、(各シンボルにプリペンドされたサイクリックプレフィックスの長さに応じて)6つまたは7つの変調シンボル期間を含む。サイクリックプレフィックスを除いて、各シンボルは2048個のサンプル期間を含む。場合によっては、サブフレームは、送信時間間隔(TTI)としても知られる、最も小さいスケジューリングユニットであり得る。他の場合には、TTIはサブフレームよりも短くてもよく、または(たとえば、短いTTIバーストにおいて、または短いTTIを使用する選択されたコンポーネントキャリアにおいて)動的に選択されてもよい。基地局105およびUE115のタイミングの同期は、基地局105によって送信される1次同期シンボルおよび2次同期シンボル(PSSおよびSSS)ならびにタイミングアドバンスコマンドを使用して達成され得る。
【００４２】
たとえば、ワイヤレスネットワークにアクセスしようと試みるUE115は、基地局105からのPSSを検出することによって、初期セル探索を実行し得る。PSSは、スロットタイミングの同期を可能にし得、物理レイヤ識別情報値を示し得る。次いで、UE115はSSSを受信し得る。SSSは、無線フレーム同期を可能にし得、セルを識別するために物理レイヤ識別情報値と組み合わされ得るセル識別情報値を提供し得る。SSSはまた、複信モードおよびサイクリックプレフィックス長の検出を可能にし得る。PSSとSSSの両方は、それぞれ、キャリアの中央の62個のサブキャリアおよび72個のサブキャリアにあり得る。PSSおよびSSSを受信した後、UE115は、PBCHにおいて送信され得るマスタ情報ブロック(MIB)を受信し得る。MIBは、システム帯域幅情報、SFN、およびPHICH構成を含み得る。MIBを復号した後、UE115は、1つまたは複数のシステム情報ブロック(SIB)を受信し得る。たとえば、SIB1は、他のSIBのセルアクセスパラメータおよびスケジューリング情報を含み得る。SIB1を復号することは、UE115がSIB2を受信するのを可能にし得る。SIB2は、RACH手順、ページング、PUCCH、PUSCH、電力制御、SRS、およびセル禁止に関するRRC構成情報を含み得る。
【００４３】
本開示によれば、ワイヤレスシステムは、ダウンリンクのシンボル期間がアップリンクのシンボル期間からオフセットされている、千鳥状のUL/DLフォーマットを使用し得る。したがって、UE115が第1のシンボル期間において送信を受信する場合、UE115は、千鳥状のシンボル期間において(たとえば、第1のシンボル期間の後のシンボル期間の2分の1から始まるUL制御チャネルシンボル期間において)送信を復号し、応答を送信し得る。次いで、基地局105は応答を受信し、応答がNACKである場合、第1のシンボル期間に続く第3のシンボル期間の間に再送信し得る。別の例では、薄い制御チャネルは、送信の受信と再送信の受信との間のラウンドトリップ時間(RTT)を低減するために使用され得る。別の例では、RTTは、スケジューリング要求(SR)とUL送信との間に生じ得る。
【００４４】
図2は、本開示の様々な態様による、低レイテンシ通信のためのワイヤレス通信サブシステム200の一例を示す。ワイヤレス通信サブシステム200は、図1を参照しながら上記で説明したUE115の一例であり得る、UE212を含み得る。ワイヤレス通信サブシステム200はまた、図1を参照しながら上記で説明した基地局105の一例であり得る、基地局203を含み得る。基地局203は、図1に関して概略的に説明したように、(たとえば、ダウンリンク205およびアップリンク210を介して)地理的カバレージエリア204内の任意のUE212と通信し得る。
【００４５】
ダウンリンク205およびアップリンク210は、周波数領域におけるサブキャリアおよび時間領域におけるシンボル期間に従って構造化された物理リソースを使用して、情報(たとえば、制御およびデータ)を搬送し得る。UE212と基地局203との間の通信のRTTは、リソースの構成に依存し得る。たとえば、場合によっては、ダウンリンク205およびアップリンク210のシンボル期間が互いに対して時間的にシフトされる(たとえば、ダウンリンク205およびアップリンク210がずらして配置される)場合、ラウンドトリップ時間が低減され得る。別の例では、DL制御チャネルまたはUL制御チャネルのシンボル期間がデータチャネルのシンボル期間よりも小さくてもよい場合、ラウンドトリップ時間が低減され得る。
【００４６】
たとえば、ワイヤレス通信サブシステム200は、基地局203とUE212との間の通信の品質を改善するために、HARQ方式を採用し得る。ダウンリンク205およびアップリンク210のシンボル境界が整合している場合、HARQ処理は4つのシンボル期間を要し得る。すなわち、基地局203は第1のシンボルにおいて制御またはデータトラフィックを送信し得、UE212は第2のシンボルにおいて情報を復号し得る。直後のシンボル(たとえば、第3のシンボル)において、UE212は、情報の受信状態を伝えるACKまたはNACKを基地局203に送信し得る。第4のシンボルにおいて、基地局203は、ACK/NACKを復号し、それの次の送信のコンテンツ(たとえば、データの冗長バージョン)を決定するために情報を使用し得る。各送信は受信時に復号されるので、通信レイテンシに関する最良の場合の制限があり得る(たとえば、ダウンリンク205の送信間の最良の場合のシナリオは、4シンボルであり得る)。したがって、ワイヤレス通信サブシステム200はダウンリンク205およびアップリンク210をずらして配置することができ、このことはレイテンシを改善し得る。
【００４７】
本開示の一例によれば、ワイヤレス通信サブシステム200に示されているように、ダウンリンク205におけるシンボル(たとえば、シンボル215)は、アップリンク210のシンボル(たとえば、シンボル220)からオフセットされ得る。そのような方式は、HARQを使用する送信のレイテンシを改善し得る。たとえば、基地局203およびUE212は、送信を復号するためにシンボル期間の一部分のみを使用し得る。言い換えれば、復号の処理は千鳥状のシンボル期間の末尾の間に行われるので、応答は、復号が成功した後すぐに送られ得、RTT(たとえば、ダウンリンク205の送信間の遅延)は、低減され得る(たとえば、当初の送信と再送信との間に2つのみのシンボルがあり得る)。ダウンリンク205のHARQ方式に関して説明したが、ダウンリンク205およびアップリンク210の千鳥状バージョンは、スケジューリング要求に関与する送信などの他の制御チャネル送信に使用され得る。
【００４８】
本開示の別の例によれば、ダウンリンク205およびアップリンク210上で制御情報を搬送するために使用されるシンボルの長さが低減され得(たとえば、制御チャネルシンボルが「薄く」てもよい)、それによって、送信時間を減少させ、場合によっては改善されたRTTをもたらす。たとえば、NACKを送るためのUL TTIはデータチャネルTTIよりも短くてもよいので、NACKはデータ送信の復号の後すぐに送られ得る。同様に、SRのRTTは、薄い制御チャネルTTIを使用して低減され得る。
【００４９】
図3Aは、本開示の様々な態様による、低レイテンシ通信のためのダウンリンクHARQタイムライン301の一例を示す。ダウンリンクHARQタイムライン301は、図2を参照しながら上記で説明したようなUE212および基地局203を含む、前述の図を参照しながら説明したようなUEまたは基地局によって使用される、HARQ手順の一例であり得る。ダウンリンクHARQタイムライン301は、図2を参照しながら説明したダウンリンク205およびアップリンク210の態様であり得る、ダウンリンク制御チャネル(DLCCh)305およびアップリンク制御チャネルULCCh310、ならびにユーザデータの送信に使用され得るコンポーネントキャリアCC1 315を含み得る。公称長のシンボル期間を使用して示されているが、HARQタイムライン301は、短いDL制御チャネルシンボル期間および短いUL制御チャネルシンボル期間とともに使用され得る。加えて、シンボル期間の半分だけのオフセットとして示されているが、ダウンリンク制御チャネルDLCCh305のシンボル320およびアップリンク制御チャネルULCCh310のシンボル325は、任意の所定のオフセットだけずらして配置されてもよい。
【００５０】
ダウンリンクHARQタイムライン301は、基地局がシンボル320においてダウンリンクをUEに送信することを含み得る。ダウンリンク許可は、(たとえば、コンポーネントキャリアCC1 315上の)DL送信のためにUE212に割り振られたリソースを示し得る。ダウンリンク許可を使用して、UE212は、コンポーネントキャリアCC1 315上で搬送され得るシンボル330においてDLデータメッセージを受信し得る。DLデータメッセージの全体が受信されると、UE212は、シンボル330の一部分の間に(たとえば、ダウンリンク復号時間期間335の間に)メッセージの復号を終了し得る。場合によっては、DL復号時間期間335は、ダウンリンク制御チャネルDLCCh305のシンボル320よりも短くてもよい(たとえば、DL復号時間期間335は、シンボル320よりも短くてもよい)。DL復号時間期間335はまた、アップリンク制御チャネルULCCh310のシンボル325よりも短くてもよい。UE212がDLデータメッセージの復号を終了すると、UE212は、シンボル326においてACK/NACKを基地局203に送り得、基地局203は、シンボル321の一部分の間に(たとえば、アップリンク復号時間期間350の間に)ACK/NACKを復号し得る。応答がNACKである場合、基地局203は、シンボル322上でダウンリンク許可を、ならびにシンボル331上でDLデータメッセージ(すなわち、再送信)を送信し得る。
【００５１】
言い換えれば、DL HARQタイムラインは、基地局が第1のシンボル中で制御/トラフィックをUE212に送ることを含み得る。次いで、UE212は、制御/トラフィックを復号し、直後のシンボル中で(たとえば、それぞれ、第2のシンボルおよび第3のシンボルの間に)ACK/NACKを送り得る。第4のシンボルの間、基地局はACK/NACKを受信および復号し得る。したがって、HARQの合計RTTは、(送信および再送信のためのシンボル期間を含む)4シンボルであり得る。いくつかの例では、最小の物理遅延(すなわち、送信時間に基づくRTTの成分)は2シンボルであり得、シンボルは27.5μsであり得、最悪の場合の合計遅延は6シンボル、または165μsであり得る。場合によっては、UL/DLをずらして配置することによって、RTT当たり1つのシンボルが節約され得る。すなわち、HARQ RTTは、4シンボルから3シンボルに低減され得る。代替例では、短いACK/制御シンボル期間が使用され得、それによって、RTT当たり2シンボルを節約する(たとえば、HARQ RTTは4シンボルから2シンボルに減少することができ、最悪の場合の遅延は55μsになる)。
【００５２】
図3Bは、本開示の様々な態様による、低レイテンシ通信のためのスケジューリング要求タイムライン302の一例を示す。スケジューリング要求タイムライン302は、図2を参照しながら上記で説明したようなUE212および基地局203を含む、前述の図を参照しながら説明したUEおよび基地局によって使用されるスケジューリング要求手順の一例であり得る。スケジューリング要求タイムライン302は、図2を参照しながら説明したダウンリンク205およびアップリンク210の態様であり得る、ダウンリンク制御チャネル(DLCCh)306およびアップリンク制御チャネル(ULCCh)311、ならびにコンポーネントキャリアCC1 316を含み得る。公称長のシンボル期間を使用して示されているが、スケジューリング要求タイムライン302は、短いダウンリンク制御チャネルDLCCh306シンボル期間および短いアップリンク制御チャネルULCCh311シンボル期間とともに使用され得る。加えて、シンボル期間の半分だけのオフセットとして示されているが、ダウンリンク制御チャネルDLCCh306のシンボルおよびアップリンク制御チャネルULCCh311のシンボルは、所定であるオフセットを含む任意のオフセットだけずらして配置されてもよい。
【００５３】
スケジューリング要求タイムライン302は、UE212がアップリンク送信のためのリソースを要求するためにULCCh311上でシンボル340を介してスケジューリング要求を基地局203に送ることを含み得る。基地局203は、隣接するシンボル(たとえば、シンボル323および324)の部分の間にスケジューリング要求を受信し、アップリンク復号時間期間351の間にスケジューリング要求を復号し得る。アップリンク復号時間期間353は、シンボル323の一部であり得る。スケジューリング要求が復号されると、基地局105はシンボル324を介してUL許可を送信し得る。UE212は、ULCCh311の隣接するシンボル341および342の部分の間にUL許可を受信し得る。シンボル342の一部分(たとえば、ダウンリンク復号時間期間353)の間に、UE212はUL許可を復号し得る。したがって、シンボル342の直後のシンボルにおいて(すなわち、シンボル333の間に)、UE212は、ULデータを送信するために、UL許可によって示されたリソースを使用し得る。ULデータは、基地局203によって受信され、その後、シンボル327の間に(たとえば、アップリンク復号時間期間352の間に)復号され得る。シンボル327の間にULデータを復号した結果に基づいて、基地局203はシンボル328の間にACK/NACKを送信し得る。
【００５４】
言い換えれば、SRタイムラインの例では、UE212は第1のシンボル期間の間にSRを基地局に送り得る。2つの後続のシンボル(たとえば、第2のシンボル期間および第3のシンボル期間)において、基地局203は、それぞれ、SRを処理し、UL許可をUE212に送信し得る。したがって、第4のシンボル期間において、UE212はUL許可を復号し得、第5のシンボル期間において、UE212はULトラフィックを基地局に送り得る。ULトラフィックは、第6のシンボル期間において基地局で受信および処理され得、ACK/NACKは、第7のシンボル期間において基地局によって送られ得る。最後に、第8のシンボル期間において、UEは基地局203からACK/NACKを受信し、ACK/NACKを復号し得る。したがって、フルUL HARQ TTIは8シンボル、または220μsであり得、最小の遅延は6シンボル、または167μsであり得る。したがって、最悪の場合の遅延は10シンボル、または278μsであり得る。しかしながら、UL/DL千鳥状配置を使用することによって、UL HARQのRTTは2シンボルだけ減少することができ、それによって、遅延を8シンボルから6シンボルに低減する。
【００５５】
図3Cは、本開示の様々な態様による、低レイテンシ通信のための薄いシンボルダウンリンクHARQタイムライン303の一例を示す。薄いシンボルダウンリンクHARQタイムライン303は、図1、図2、図3Aおよび図3Bを参照しながら上記で説明したようなUEおよび基地局によって使用されるHARQ手順の一例であり得る。薄いシンボルダウンリンクHARQタイムライン303は、図2を参照しながら説明したダウンリンク205およびアップリンク210の態様であり得る、DL制御チャネル(DLCCh)307およびUL制御チャネル(ULCCh)312、ならびにコンポーネントキャリアCC1 317を含み得る。整合したシンボル期間を使用して示されているが、薄いシンボルダウンリンクHARQタイムライン303は、図2および図3Aを参照しながら上記で説明したように、千鳥状のダウンリンク制御チャネルシンボル期間およびアップリンク制御チャネルシンボル期間を含み得る。加えて、ダウンリンク制御チャネルDLCCh307およびアップリンク制御チャネルULCCh312のシンボル期間の長さは、コンポーネントキャリアCC1 317のシンボル期間の長さの何分の1(たとえば、半分の長さ)でもよい。
【００５６】
薄いシンボルダウンリンクHARQタイムライン303は、基地局203が薄いシンボル343においてダウンリンク許可をUEに送信することを含み得る。したがって、基地局203は、CC1 317のシンボル334の間にDLデータをUE212に送信し得る。UE212は、薄いシンボル342の間にDLデータを受信し、次いで、DLデータを復号し得る。DLデータを復号すると、UE212は、薄いシンボル346の間にACK/NACKを基地局105に送信し得、基地局203は、薄いシンボル344の間にACK/NACKを復号し得る。したがって、短いACK/制御シンボル期間が使用され得、それによって、RTT当たり2シンボルを節約する(たとえば、HARQ RTTは4シンボルから2シンボルに減少することができ、最悪の場合の遅延は55μsになる。)
【００５７】
図3Dは、本開示の様々な態様による、低レイテンシ通信のための薄いシンボルスケジューリング要求タイムライン304の一例を示す。薄いシンボルスケジューリング要求タイムライン304は、UE212および基地局203を含む、図1、図2、および図3Bを参照しながら上記で説明したようなUEおよび基地局によって使用されるスケジューリング要求手順の一例であり得る。薄いシンボルスケジューリング要求タイムライン304は、図2および図3Bを参照しながら説明したダウンリンク205およびアップリンク210の態様であり得る、ダウンリンク制御チャネルDLCCh308およびアップリンク制御チャネルULCCh313、ならびにコンポーネントキャリアCC1 318を含み得る。整合したシンボル期間を使用して示されているが、薄いシンボルスケジューリング要求タイムライン304は、図2および図3Bを参照しながら上記で説明したように、ダウンリンク制御チャネルDLCCh308およびアップリンク制御チャネルULCCh313のシンボル期間をずらして配置し得る。加えて、ダウンリンク制御チャネルDLCCh308およびアップリンク制御チャネルULCCh313のシンボル期間の長さは、コンポーネントキャリアCC1 318のシンボル期間の長さの何分の1(たとえば、半分の長さ)でもよい。
【００５８】
薄いシンボルスケジューリング要求タイムライン304は、UE115がシンボル370の間にスケジューリング要求を基地局203に送信することを含み得る。スケジューリング要求は、シンボル360の間に基地局203によって復号され得る。その後、基地局203は、シンボル361の間に、UE212がデータ送信のために使用し得るアップリンクリソースを示すUL許可をUE212に送信し得る。UE212は、シンボル371の間にUL許可を復号し得、その後、UE212は、UL許可によって割り当てられたリソース上でCC1 318のシンボル337の間にULデータを送信し得る。基地局105は、シンボル362の間にULデータを受信し、その後、ULデータを復号し得る。復号の結果に基づいて、基地局203は、シンボル363の間にACK/NACKをUE212に送り得る。したがって、ACK/制御チャネルに対して短いシンボル期間を使用することによって、UL RTTごとに2シンボルが節約され得る。したがって、最悪の場合の遅延は4シンボルまたは110μsであり得る。
【００５９】
図4Aは、本開示の様々な態様による、低レイテンシ通信のためのプロセスフロー401の一例を示す。プロセスフロー401は、図1〜図2を参照しながら上記で説明したUE115または212の一例であり得る、UE412を含み得る。プロセスフロー401はまた、図1〜図2を参照しながら上記で説明した基地局105または203の一例であり得る、基地局403を含み得る。加えて、プロセスフロー401は、図3Aおよび図3Cによって説明したものなどのUL/DLフォーマットの態様を使用し得る。プロセスフロー401は、千鳥状のDLシンボル期間427、429、431、433およびULシンボル期間428、430、432、434に基づき得る。
【００６０】
405において、UE412は、第1のタイミング構成に従う第1のシンボル期間(DLシンボル期間427)の間にメッセージを受信し得る。いくつかの例では、メッセージは、DL許可に付随し得るデータ送信であり得る。
【００６１】
410において、UE412は、第1のシンボル期間よりも短くてもよい復号時間期間の間にメッセージを復号し得る。復号時間期間は、ULシンボル期間428の後半の間に生じ得る。
【００６２】
415において、UE412は、復号に基づいて、受信されたメッセージに応答を送信し得る。応答は、第2のタイミング構成に従う第2のULシンボル期間430の間に送信され得、第2の(UL)タイミング構成は、所定のオフセットに従って、DLシンボル期間429を含み得る第1の(DL)タイミング構成に対してずらして配置され得る。場合によっては、応答は、HARQフィードバックメッセージ(たとえば、NACK)を含み得る。
【００６３】
420において、基地局403は、DLシンボル期間431の間にUE412からの応答を復号し得る。いくつかの例では、基地局403は、UE412からの応答の復号に基づいて、たとえば、ULシンボル期間432の後に、メッセージをUE412に送り得る。たとえば、基地局403は、メッセージの再送信(たとえば、インクリメンタルHARQの冗長バージョン)を送り得る。
【００６４】
425において、UE412は、DLシンボル期間433であり得、ULシンボル期間434の前に生じ得る第3のシンボル期間の間にメッセージの再送信を受信し得、3つ未満のシンボル期間は、第1のタイミング構成に従う第1のシンボル期間と第3のシンボル期間との間にある。
【００６５】
図3Bを参照しながら上記で説明したように、薄いTTI構成(図示せず)は、プロセスフロー401によって示される千鳥状の制御チャネル構成の代わりに、またはそれとともに使用され得る。
【００６６】
図4Bは、本開示の様々な態様による、低レイテンシ通信のためのプロセスフロー402の一例を示す。プロセスフロー402は、図1〜図2を参照しながら上記で説明したUE115または212の一例であり得る、UE413を含み得る。プロセスフロー402はまた、図1〜図2を参照しながら上記で説明した基地局105または203の一例であり得る、基地局404を含み得る。加えて、プロセスフロー402は、図3Bおよび図3Dによって説明したものなどのUL/DLフォーマットの態様を使用し得る。プロセスフロー402は、千鳥状のULシンボル期間452、453、456、459およびDLシンボル期間454、455、457、460に基づき得る。場合によっては、ULシンボル期間452、453、456、459およびDLシンボル期間454、455、457、460の長さは等しくてもよい。
【００６７】
430において、UE413は、第1のULシンボル期間452の間にSRメッセージを送信し得る(また、基地局404は、UE413からのSRメッセージを受信し得る)。いくつかの例では、メッセージは、後続のUL送信のためのリソースの要求であり得る。
【００６８】
435において、基地局404は、第1のULシンボル期間452よりも短い復号時間期間の間にメッセージを復号し得る。場合によっては、基地局404は、DLシンボル期間454の後半部分の間に要求を復号し得る。
【００６９】
440において、基地局404は、応答(たとえば、SRに応答して、UL許可)をUE413に送信し得る。応答は、第2のDLシンボル期間455の間に送信され得る。いくつかの例では、第2のDLシンボル期間455は、第1のタイミング構成の第3のULシンボル期間456の前に始まる。いくつかの例では、第2のDLシンボル期間455は、第1のタイミング構成に従う第1のULシンボル期間452の末尾に続く長さの2分の1の後に始まる。
【００７０】
445において、UE413はUL許可を復号し得る。たとえば、UE413は、(DLシンボル期間457の最初の部分に対応する)ULシンボル期間456の後半部分の間にUL許可を復号し得る。
【００７１】
450において、UE413は、UL許可によって示されたリソースを使用してULメッセージを送信し得る。たとえば、UE413は、ULシンボル期間459の間にULメッセージを送信し得、このことにより、初期SRの後に3つのシンボル期間が生じ得る(すなわち、2つの介在するシンボル期間453および456のみを伴う)。
【００７２】
いくつかの例では、基地局404は、UL送信を復号し、DL制御チャネルを使用してHARQ応答(たとえば、およびACK/NACKメッセージ)を送り得る。このUL HARQのRTTはまた、千鳥状の制御チャネルに基づいて低減され得る。
【００７３】
図5は、本開示の様々な態様による、低レイテンシ通信のために構成されたデバイス501のブロック図500を示す。デバイス501は、図1〜図4を参照しながら説明したUE115、212、412、413の態様または基地局105、203、403、404の態様の一例であり得る。デバイス501は、受信機505、低レイテンシ応答モジュール510、または送信機515を含み得る。デバイス501はまた、プロセッサを含み得る。これらの構成要素の各々は、互いと通信していてもよい。
【００７４】
デバイス501の構成要素は、個別にまたは集合的に、適用可能な機能の一部または全部をハードウェアで実行するように適合された少なくとも1つの特定用途向け集積回路(ASIC)を用いて実装され得る。代替的に、機能は、1つまたは複数の他の処理ユニット(またはコア)によって、少なくとも1つのIC上で実行され得る。他の実施形態では、当技術分野で知られている任意の方法でプログラムされ得る、他のタイプの集積回路(たとえば、ストラクチャード/プラットフォームASIC、フィールドプログラマブルゲートアレイ(FPGA)、または別のセミカスタムIC)が使用され得る。各ユニットの機能はまた、全体的にまたは部分的に、1つまたは複数の汎用プロセッサまたは特定用途向けプロセッサによって実行されるようにフォーマットされた、メモリにおいて具現化された命令を用いて実装され得る。
【００７５】
受信機505は、パケット、ユーザデータ、または様々な情報チャネル(たとえば、制御チャネル、データチャネル)に関連付けられた制御情報などの情報、および低レイテンシ通信に関する情報などを受信し得る。情報は、低レイテンシ応答モジュール510に、およびデバイス501の他の構成要素に渡され得る。いくつかの例では、受信機505は、第1のタイミング構成に従う第1のシンボル期間の間にメッセージを受信し得る。いくつかの例では、受信機505は、第3のシンボル期間の間にメッセージの再送信を受信し得、3つ未満のシンボル期間は、第1のタイミング構成に従う第1のシンボル期間と第3のシンボル期間との間にある。いくつかの例では、受信機505は、第1のシンボル期間の間にメッセージを受信し得る。いくつかの例では、受信機505は、第3のシンボル期間の間に再送信を受信し得、3つ未満のシンボル期間は、データチャネルタイミング構成に従う第1のシンボル期間と第3のシンボル期間との間にある。デバイス501が基地局105を表す場合、受信機505は、UL許可を使用してULメッセージを受信し得る。
【００７６】
低レイテンシ応答モジュール510は、第1のタイミング構成に従う第1のシンボル期間の間にメッセージを受信することと、第1のシンボル期間よりも短い復号時間期間の間にメッセージを復号することと、復号に少なくとも部分的に基づいて、受信されたメッセージに応答を送信することであって、応答が、第2のタイミング構成に従う第2のシンボル期間の間に送信され、第2のタイミング構成が、所定のオフセットに従って、第1のタイミング構成に対してずらして配置されている、送信することとを行うことができる。
【００７７】
送信機515は、デバイス501の他の構成要素から受信された信号を送信し得る。いくつかの実施形態では、送信機515は、トランシーバモジュール内で受信機505とコロケートされ得る。送信機515は、単一のアンテナを含み得るか、または複数のアンテナを含み得る。
【００７８】
図6は、本開示の様々な態様による、低レイテンシ通信のためのデバイス601のブロック図600を示す。デバイス601は、図1〜図5を参照しながら説明したUE115、212、412、413、基地局105、203、403、404、またはデバイス501の態様の一例であり得る。デバイス601は、受信機604、低レイテンシ応答モジュール609、または送信機615を含み得る。デバイス601はまた、プロセッサを含み得る。これらの構成要素の各々は、互いと通信していてもよい。低レイテンシ応答モジュール609はまた、デコーダ605、および千鳥状応答モジュール610を含み得る。
【００７９】
デバイス601の構成要素は、個別にまたは集合的に、適用可能な機能の一部または全部をハードウェアで実行するように適合された少なくとも1つのASICを用いて実装され得る。代替的に、機能は、1つまたは複数の他の処理ユニット(またはコア)によって、少なくとも1つのIC上で実行され得る。他の実施形態では、当技術分野で知られている任意の方法でプログラムされ得る、他のタイプの集積回路(たとえば、ストラクチャード/プラットフォームASIC、FPGA、または別のセミカスタムIC)が使用され得る。各ユニットの機能はまた、全体的にまたは部分的に、1つまたは複数の汎用プロセッサまたは特定用途向けプロセッサによって実行されるようにフォーマットされた、メモリにおいて具現化された命令を用いて実装され得る。
【００８０】
受信機604は、低レイテンシ応答モジュール609に、およびデバイス601の他の構成要素に渡され得る情報を受信し得る。低レイテンシ応答モジュール609は、図5を参照しながら上記で説明した動作を実行し得る。送信機615は、デバイス601の他の構成要素から受信された信号を送信し得る。
【００８１】
デコーダ605は、図2〜図4を参照しながら上記で説明したように、第1のシンボル期間よりも短い復号時間期間の間にメッセージを復号し得る。デコーダ605はまた、第1のシンボル期間よりも短い復号時間期間の間にメッセージを復号し得る。
【００８２】
千鳥状応答モジュール610は、受信されたメッセージを復号したことに少なくとも部分的に基づいて、千鳥状の制御チャネルシンボル期間の間に、受信されたメッセージに応答を送信し得る。応答は、第2のタイミング構成に従う第2のシンボル期間の間に送信され得、第2のタイミング構成は、図2〜図4を参照しながら上記で説明したように、所定のオフセットに従って、第1のタイミング構成に対してずらして配置されている。いくつかの例では、第2のシンボル期間は第1のタイミング構成の第3のシンボル期間の前に始まり、第3のシンボル期間は第1のシンボル期間の直後に続く。いくつかの例では、第2のシンボル期間は、第1のタイミング構成に従う第1のシンボル期間に続く第1のシンボル期間の長さの2分の1の後に始まり、第2のシンボル期間の長さは、第1のシンボル期間の長さに等しくてもよい。
【００８３】
図7は、本開示の様々な態様による、低レイテンシ通信のための低レイテンシ応答モジュール701のブロック図700を示す。低レイテンシ応答モジュール701は、図5〜図6を参照しながら説明した低レイテンシ応答モジュール510の態様の一例であり得る。低レイテンシ応答モジュール701は、デコーダ702、および千鳥状応答モジュール703を含み得る。これらのモジュールの各々は、図6を参照しながら上記で説明した機能を実行し得る。低レイテンシ応答モジュール701はまた、HARQモジュール705、SRモジュール710、および薄いTTI応答モジュール715を含み得る。
【００８４】
低レイテンシ応答モジュール701の構成要素は、個別にまたは集合的に、適用可能な機能の一部または全部をハードウェアで実行するように適合された少なくとも1つのASICを用いて実装され得る。代替的に、機能は、1つまたは複数の他の処理ユニット(またはコア)によって、少なくとも1つのIC上で実行され得る。他の実施形態では、当技術分野で知られている任意の方法でプログラムされ得る、他のタイプの集積回路(たとえば、ストラクチャード/プラットフォームASIC、FPGA、または別のセミカスタムIC)が使用され得る。各ユニットの機能はまた、全体的にまたは部分的に、1つまたは複数の汎用プロセッサまたは特定用途向けプロセッサによって実行されるようにフォーマットされた、メモリにおいて具現化された命令を用いて実装され得る。
【００８５】
HARQモジュール705は、HARQプロセスを実行するように構成され得る。たとえば、場合によっては、図2〜図4を参照しながら上記で説明したように、受信されたメッセージはデータメッセージを含み得、応答はHARQフィードバックメッセージを含み得る。いくつかの例では、HARQフィードバックメッセージはNACKメッセージを含む。いくつかの例では、受信されたメッセージはデータチャネルタイミング構成に基づくデータ送信を含み、応答はHARQフィードバックメッセージを含む。
【００８６】
SRモジュール710は、図3Bおよび図3Cを参照しながら上記で説明したように、SRプロセスを実行するように構成され得る。たとえば、図2〜図4を参照しながら上記で説明したように、受信されたメッセージはSRであり得、応答はUL許可であり得る。
【００８７】
薄いTTI応答モジュール715は、薄い制御チャネルを使用してメッセージを送り、受信するように構成され得る。たとえば、薄いTTI応答モジュールは、制御チャネルタイミング構成に従う第2のシンボル期間の間に復号に基づいてメッセージに応答を送り得、制御チャネルタイミング構成は、図2〜図4を参照しながら上記で説明したように、データチャネルタイミング構成よりも短いシンボル持続時間に基づく。
【００８８】
図8は、本開示の様々な態様による、低レイテンシ通信のために構成されたUEを含むシステム800の図を示す。システム800は、図1〜図7を参照しながら上記で説明したUEの一例であり得る、UE812を含み得る。UE812は、図7を参照しながら説明した低レイテンシ応答モジュール701の一例であり得る、低レイテンシ応答モジュール810を含み得る。UE812はまた、同期モジュール825を含み得る。UE812はまた、通信を送信するための構成要素および通信を受信するための構成要素を含む、双方向音声およびデータ通信のための構成要素を含み得る。たとえば、UE812は、UE813または基地局803と双方向に通信し得る。
【００８９】
同期モジュール825は、UE812のフレーム構造を基地局803と同期させ得る。たとえば、同期モジュール825は、1次同期信号および2次同期信号(PSSおよびSSS)を受信および処理し得る。場合によっては、千鳥状の制御チャネルは、この同期に少なくとも部分的に基づき得る。
【００９０】
UE812はまた、各々が、直接的にまたは間接的に(たとえば、バス845を介して)互いと通信し得る、プロセッサモジュール805、(ソフトウェア(SW)820を含む)メモリ815、トランシーバモジュール835、および1つまたは複数のアンテナ840を含み得る。トランシーバモジュール835は、上記で説明したように、アンテナ840またはワイヤードリンクもしくはワイヤレスリンクを介して、1つまたは複数のネットワークと双方向に通信し得る。たとえば、トランシーバモジュール835は、基地局803または別のUE813と双方向に通信し得る。トランシーバモジュール835は、パケットを変調し、被変調パケットを送信のためにアンテナ840に与え、アンテナ840から受信されたパケットを復調するためのモデムを含み得る。UE812は単一のアンテナ840を含み得るが、UE812はまた、複数のワイヤレス送信を同時に送信または受信することが可能な複数のアンテナ840を有し得る。
【００９１】
メモリ815は、ランダムアクセスメモリ(RAM)および読取り専用メモリ(ROM)を含み得る。メモリ815は、実行されると、本明細書で説明する様々な機能(たとえば、低レイテンシ通信など)をプロセッサモジュール805に実行させる命令を含む、コンピュータ可読、コンピュータ実行可能ソフトウェア/ファームウェアコード820を記憶し得る。代替的に、ソフトウェア/ファームウェアコード820は、プロセッサモジュール805によって直接実行可能ではないことがあるが、(たとえば、コンパイルされ実行されると)本明細書で説明する機能をコンピュータに実行させることができる。プロセッサモジュール805は、インテリジェントハードウェアデバイス(たとえば、中央処理ユニット(CPU)、マイクロコントローラ、ASICなど)を含み得る。
【００９２】
図9は、本開示の様々な態様による、低レイテンシ通信のために構成された基地局を含むシステム900の図を示す。システム900は、図1〜図8を参照しながら上記で説明した基地局の一例であり得る、基地局903を含み得る。基地局903は、図7を参照しながら説明した低レイテンシ応答モジュール701の一例であり得る、基地局低レイテンシ応答モジュール910を含み得る。基地局903はまた、通信を送信するための構成要素および通信を受信するための構成要素を含む、双方向音声およびデータ通信のための構成要素を含み得る。たとえば、基地局903は、UE912またはUE913と双方向に通信し得る。
【００９３】
場合によっては、基地局903は、1つまたは複数のワイヤードバックホールリンクを有し得る。基地局903は、コアネットワーク970へのワイヤードバックホールリンク(たとえば、S1インターフェースなど)を有し得る。基地局903はまた、基地局間バックホールリンク(たとえば、X2インターフェース)を介して、基地局960および基地局961などの他の基地局と通信し得る。基地局の各々は、同じまたは異なるワイヤレス通信技術を使用して、UE912および913と通信し得る。場合によっては、基地局903は、基地局通信モジュール925を利用して、960または961などの他の基地局と通信し得る。いくつかの実施形態では、基地局通信モジュール925は、基地局のうちのいくつかの間の通信を行うために、LTE/LTE-Aワイヤレス通信ネットワーク技術内のX2インターフェースを提供し得る。いくつかの実施形態では、基地局903は、コアネットワーク970を通じて他の基地局と通信し得る。場合によっては、基地局903は、ネットワーク通信モジュール930を通じてコアネットワーク970と通信し得る。
【００９４】
基地局903は、各々が、直接的にまたは間接的に(たとえば、バスシステム945を介して)互いと通信し得る、プロセッサモジュール905、(ソフトウェア(SW)920を含む)メモリ915、トランシーバモジュール935、およびアンテナ940を含み得る。トランシーバモジュール935は、アンテナ940を介して、マルチモードデバイスであり得るUE115と双方向に通信するように構成され得る。トランシーバモジュール935(または基地局903の他の構成要素)はまた、アンテナ940を介して、1つまたは複数の他の基地局(図示せず)と双方向に通信するように構成され得る。トランシーバモジュール935は、パケットを変調し、被変調パケットを送信のためにアンテナ940に与え、アンテナ940から受信されたパケットを復調するように構成されたモデムを含み得る。基地局903は、各々が1つまたは複数の関連するアンテナ940を有する、複数のトランシーバモジュール935を含み得る。トランシーバモジュールは、図5の組み合わされた受信機505および送信機515の一例であり得る。
【００９５】
メモリ915は、RAMおよびROMを含み得る。メモリ915はまた、実行されると、本明細書で説明する様々な機能(たとえば、低レイテンシ通信、カバレージ拡張技法の選択、呼処理、データベース管理、メッセージルーティングなど)をプロセッサモジュール905に実行させるように構成された命令を含む、コンピュータ可読、コンピュータ実行可能ソフトウェアコード920を記憶し得る。代替的に、ソフトウェアコード920は、プロセッサモジュール905によって直接実行可能ではないことがあるが、(たとえば、コンパイルされ実行されると)本明細書で説明する機能をコンピュータに実行させるように構成され得る。プロセッサモジュール905は、インテリジェントハードウェアデバイス(たとえば、CPU、マイクロコントローラ、ASICなど)を含み得る。プロセッサモジュール905は、エンコーダ、キュー処理モジュール、ベースバンドプロセッサ、無線ヘッドコントローラ、デジタル信号プロセッサ(DSP)などの様々な専用プロセッサを含み得る。
【００９６】
基地局通信モジュール925は、他の基地局105との通信を管理し得る。通信管理モジュールは、他の基地局960および961と協働してUE912および913との通信を制御するためのコントローラまたはスケジューラを含み得る。たとえば、基地局通信モジュール925は、ビームフォーミングまたはジョイント送信などの様々な干渉軽減技法のために、UE912および913への送信のためのスケジューリングを協調させることができる。
【００９７】
図10は、本開示の様々な態様による、低レイテンシ通信のための方法1000を示すフローチャートを示す。方法1000の動作は、図1〜図9を参照しながら説明したように、UEまたは基地局またはその構成要素によって実装され得る。たとえば、方法1000の動作は、図5〜図7を参照しながら説明したように、低レイテンシ応答モジュール510、609、または701によって実行され得る。いくつかの例では、UEは、以下で説明する機能を実行するためにUEの機能要素を制御するためのコードのセットを実行し得る。追加または代替として、UEは、専用ハードウェアを使用して、以下で説明する機能の態様を実行し得る。
【００９８】
ブロック1005において、デバイスは、図2〜図4を参照しながら上記で説明したように、第1のタイミング構成に従う第1のシンボル期間の間にメッセージを受信し得る。いくつかの例では、ブロック1005の動作は、図5を参照しながら上記で説明したように、受信機505によって実行され得る。
【００９９】
ブロック1010において、デバイスは、図2〜図4を参照しながら上記で説明したように、第1のシンボル期間よりも短い復号時間期間の間にメッセージを復号し得る。いくつかの例では、ブロック1010の動作は、図6を参照しながら上記で説明したように、デコーダ605によって実行され得る。
【０１００】
ブロック1015において、デバイスは、復号に少なくとも部分的に基づいて、受信されたメッセージに応答を送信し得る。応答は、第2のタイミング構成に従う第2のシンボル期間の間に送信され得る。場合によっては、第2のタイミング構成は、図2〜図4を参照しながら上記で説明したように、所定のオフセットに従って、第1のタイミング構成に対してずらして配置されている。いくつかの例では、ブロック1015の動作は、図6を参照しながら上記で説明したように、千鳥状応答モジュール610によって実行され得る。
【０１０１】
図11は、本開示の様々な態様による、低レイテンシ通信のための方法1100を示すフローチャートを示す。方法1100の動作は、図1〜図9を参照しながら説明したように、UEまたは基地局またはその構成要素によって実装され得る。たとえば、方法1100の動作は、図5〜図7を参照しながら説明したように、低レイテンシ応答モジュール510、609、または701によって実行され得る。いくつかの例では、UEは、以下で説明する機能を実行するためにUEの機能要素を制御するためのコードのセットを実行し得る。追加または代替として、UEは、専用ハードウェアを使用して、以下で説明する機能の態様を実行し得る。方法1100はまた、図10の方法1000の態様を組み込むことができる。
【０１０２】
ブロック1105において、デバイスは、図2〜図4を参照しながら上記で説明したように、第1のタイミング構成に従う第1のシンボル期間の間にメッセージを受信し得る。場合によっては、メッセージはデータメッセージを含み得る。いくつかの例では、ブロック1105の動作は、図5を参照しながら上記で説明したように、受信機505によって実行され得る。
【０１０３】
ブロック1110において、デバイスは、図2〜図4を参照しながら上記で説明したように、第1のシンボル期間よりも短い復号時間期間の間にメッセージを復号し得る。いくつかの例では、ブロック1110の動作は、図6を参照しながら上記で説明したように、デコーダ605によって実行され得る。
【０１０４】
ブロック1115において、デバイスは、復号に少なくとも部分的に基づいて、受信されたメッセージに応答(たとえば、HARQフィードバックメッセージ)を送信し得る。場合によっては、メッセージはNACKメッセージを含み得る。応答は、第2のタイミング構成に従う第2のシンボル期間の間に送信され得る。いくつかの例では、第2のタイミング構成は、図2〜図4を参照しながら上記で説明したように、所定のオフセットに従って、第1のタイミング構成に対してずらして配置されている。いくつかの例では、ブロック1115の動作は、図6を参照しながら上記で説明したように、千鳥状応答モジュール610によって実行され得る。
【０１０５】
ブロック1120において、デバイスは、図2〜図4を参照しながら上記で説明したように、第1のタイミング構成に従う第3のシンボル期間の間にメッセージの再送信を受信し得る。場合によっては、3つ未満のシンボル期間は、第1のシンボル期間と第3のシンボル期間との間にある。いくつかの例では、ブロック1130の動作は、図5を参照しながら上記で説明したように、受信機505によって実行され得る。
【０１０６】
図12は、本開示の様々な態様による、低レイテンシ通信のための方法1200を示すフローチャートを示す。方法1200の動作は、図1〜図9を参照しながら説明したように、UEまたは基地局またはその構成要素によって実装され得る。たとえば、方法1200の動作は、図5〜図7を参照しながら説明したように、低レイテンシ応答モジュール510、609、または701によって実行され得る。いくつかの例では、基地局は、以下で説明する機能を実行するために基地局の機能要素を制御するためのコードのセットを実行し得る。追加または代替として、基地局は、専用ハードウェアを使用して、以下で説明する機能の態様を実行し得る。方法1200はまた、図10〜図11の方法1000および1100の態様を組み込むことができる。
【０１０７】
ブロック1205において、基地局は、図2〜図4を参照しながら上記で説明したように、第1のタイミング構成に従う第1のシンボル期間の間にメッセージを受信し得る。場合によっては、メッセージはスケジューリング要求(SR)であり得る。いくつかの例では、ブロック1205の動作は、図9を参照しながら上記で説明したように、トランシーバモジュール935によって実行され得る。
【０１０８】
ブロック1210において、基地局は、図2〜図4を参照しながら上記で説明したように、第1のシンボル期間よりも短い復号時間期間の間にメッセージを復号し得る。いくつかの例では、ブロック1210の動作は、図6を参照しながら上記で説明したように、デコーダ605によって実行され得る。
【０１０９】
ブロック1215において、基地局は、復号に少なくとも部分的に基づいて、受信されたメッセージに応答を送信し得る。応答は、第2のタイミング構成に従う第2のシンボル期間の間に送信され得る。場合によっては、第2のタイミング構成は、図2〜図4を参照しながら上記で説明したように、所定のオフセットに従って、第1のタイミング構成に対してずらして配置されている。いくつかの例では、ブロック1215の動作は、図6を参照しながら上記で説明したように、千鳥状応答モジュール610によって実行され得る。
【０１１０】
ブロック1220において、基地局は、UL許可を使用してUE115からのアップリンクメッセージを受信し得る。いくつかの例では、ブロック1220の動作は、図9を参照しながら上記で説明したように、トランシーバモジュール935によって実行され得る。
【０１１１】
図13は、本開示の様々な態様による、低レイテンシ通信のための方法1300を示すフローチャートを示す。方法1300の動作は、図1〜図8を参照しながら説明したように、UEまたはその構成要素によって実装され得る。たとえば、方法1300の動作は、図5〜図7を参照しながら説明したように、低レイテンシ応答モジュール510、609、または701によって実行され得る。いくつかの例では、UEは、以下で説明する機能を実行するためにUEの機能要素を制御するためのコードのセットを実行し得る。追加または代替として、UEは、専用ハードウェアを使用して、以下で説明する機能の態様を実行し得る。方法1300はまた、図10〜図12の方法1000、1100、および1200の態様を組み込むことができる。
【０１１２】
ブロック1305において、UEは、図2〜図4を参照しながら上記で説明したように、第1のシンボル期間の間にメッセージを受信し得る。いくつかの例では、ブロック1305の動作は、図5を参照しながら上記で説明したように、受信機505によって実行され得る。
【０１１３】
ブロック1310において、UEは、図2〜図4を参照しながら上記で説明したように、第1のシンボル期間よりも短い復号時間期間の間にメッセージを復号し得る。いくつかの例では、ブロック1310の動作は、図6を参照しながら上記で説明したように、デコーダ605によって実行され得る。
【０１１４】
ブロック1315において、UEは、制御チャネルタイミング構成に従う第2のシンボル期間の間に復号に基づいてメッセージに応答を送り得、制御チャネルタイミング構成は、図2〜図4を参照しながら上記で説明したように、データチャネルタイミング構成よりも短いシンボル持続時間に基づく。いくつかの例では、ブロック1315の動作は、図7を参照しながら上記で説明したように、薄いTTI応答モジュール715によって実行され得る。
【０１１５】
図14は、本開示の様々な態様による、低レイテンシ通信のための方法1400を示すフローチャートを示す。方法1400の動作は、図1〜図9を参照しながら説明したように、UEまたは基地局またはその構成要素によって実装され得る。たとえば、方法1400の動作は、図5〜図7を参照しながら説明したように、低レイテンシ応答モジュール510、609、または701によって実行され得る。いくつかの例では、UEは、以下で説明する機能を実行するためにUEの機能要素を制御するためのコードのセットを実行し得る。追加または代替として、UEは、専用ハードウェアを使用して、以下で説明する機能の態様を実行し得る。方法1400はまた、図10〜図13の方法1000、1100、1200、および1300の態様を組み込むことができる。
【０１１６】
ブロック1405において、デバイスは、図2〜図4を参照しながら上記で説明したように、第1のシンボル期間の間にメッセージを受信し得る。いくつかの例では、ブロック1405の動作は、図5を参照しながら上記で説明したように、受信機505によって実行され得る。
【０１１７】
ブロック1410において、デバイスは、図2〜図4を参照しながら上記で説明したように、第1のシンボル期間よりも短い復号時間期間の間にメッセージを復号し得る。いくつかの例では、ブロック1410の動作は、図6を参照しながら上記で説明したように、デコーダ605によって実行され得る。
【０１１８】
ブロック1415において、デバイスは、制御チャネルタイミング構成に従う第2のシンボル期間の間に復号に基づいてメッセージに応答を送り得、制御チャネルタイミング構成は、図2〜図4を参照しながら上記で説明したように、データチャネルタイミング構成よりも短いシンボル持続時間に基づく。場合によっては、メッセージはデータチャネルタイミング構成に基づくデータ送信を含み、応答はHARQフィードバックメッセージを含む。たとえば、HARQフィードバックメッセージはNACKメッセージを含む。いくつかの例では、ブロック1415の動作は、図7を参照しながら上記で説明したように、薄いTTI応答モジュール715によって実行され得る。
【０１１９】
ブロック1420において、デバイスは、第3のシンボル期間の間に再送信を受信し得、3つ未満のシンボル期間は、図2〜図4を参照しながら上記で説明したように、データチャネルタイミング構成に従う第1のシンボル期間と第3のシンボル期間との間にある。いくつかの例では、ブロック1420の動作は、図5を参照しながら上記で説明したように、受信機505によって実行され得る。
【０１２０】
図15は、本開示の様々な態様による、低レイテンシ通信のための方法1500を示すフローチャートを示す。方法1500の動作は、図1〜図9を参照しながら説明したように、基地局またはその構成要素によって実装され得る。たとえば、方法1500の動作は、図5〜図7を参照しながら説明したように、低レイテンシ応答モジュール510、609、または701によって実行され得る。いくつかの例では、基地局は、以下で説明する機能を実行するために基地局の機能要素を制御するためのコードのセットを実行し得る。追加または代替として、基地局は、専用ハードウェアを使用して、以下で説明する機能の態様を実行し得る。方法1500はまた、図10〜図14の方法1000、1100、1200、1300、および1400の態様を組み込むことができる。
【０１２１】
ブロック1505において、基地局は、図2〜図4を参照しながら上記で説明したように、第1のシンボル期間の間にメッセージを受信し得る。いくつかの例では、ブロック1505の動作は、図5を参照しながら上記で説明したように、受信機505によって実行され得る。
【０１２２】
ブロック1510において、基地局は、図2〜図4を参照しながら上記で説明したように、第1のシンボル期間よりも短い復号時間期間の間にメッセージを復号し得る。いくつかの例では、ブロック1510の動作は、図6を参照しながら上記で説明したように、デコーダ605によって実行され得る。場合によっては、メッセージはSRであり、応答はUL許可である。
【０１２３】
ブロック1515において、基地局は、制御チャネルタイミング構成に従う第2のシンボル期間の間に復号に基づいてメッセージに応答を送り得、制御チャネルタイミング構成は、図2〜図4を参照しながら上記で説明したように、データチャネルタイミング構成よりも短いシンボル持続時間に基づく。いくつかの例では、ブロック1515の動作は、図7を参照しながら上記で説明したように、薄いTTI応答モジュール715によって実行され得る。
【０１２４】
ブロック1520において、基地局は、図2〜図4を参照しながら上記で説明したように、UL許可を使用してULメッセージを受信し得る。いくつかの例では、ブロック1520の動作は、図5を参照しながら上記で説明したように、受信機505によって実行され得る。
【０１２５】
このようにして、方法1000、1100、1200、1300、1400、および1500は、低レイテンシ通信を提供し得る。方法1000、1100、1200、1300、1400、および1500は、可能な実装形態について説明しており、動作およびステップは、他の実装形態が可能であるように並べ替えられるか、または別様に修正され得ることに留意されたい。いくつかの例では、方法1000、1100、1200、1300、1400、および1500の2つ以上からの態様が組み合わされ得る。
【０１２６】
添付の図面に関して上記に記載した発明を実施するための形態は、例示的な実施形態について説明するものであり、実装され得るか、または特許請求の範囲内にあるすべての実施形態を表すものではない。本明細書全体にわたって使用される「例示的」という用語は、「例、事例、または例示として役立つ」ことを意味し、「好ましい」または「他の実施形態よりも有利な」を意味するものではない。発明を実施するための形態は、説明した技法の理解を与えるための具体的な詳細を含む。しかしながら、これらの技法は、これらの具体的な詳細なしに実践され得る。場合によっては、説明した実施形態の概念を曖昧にするのを回避するために、よく知られている構造およびデバイスはブロック図の形態で示されている。
【０１２７】
情報および信号は、様々な異なる技術および技法のいずれかを使用して表され得る。たとえば、上記の説明全体にわたって言及され得るデータ、命令、コマンド、情報、信号、ビット、シンボル、およびチップは、電圧、電流、電磁波、磁場もしくは磁性粒子、光場もしくは光学粒子、またはそれらの任意の組合せによって表され得る。
【０１２８】
本明細書の本開示に関して説明する様々な例示的なブロックおよびモジュールは、汎用プロセッサ、DSP、ASIC、FPGAもしくは他のプログラマブル論理デバイス、個別ゲートもしくはトランジスタ論理、個別ハードウェア構成要素、または本明細書で説明する機能を実行するように設計されたそれらの任意の組合せを用いて実装または実行され得る。汎用プロセッサはマイクロプロセッサであり得るが、代替として、プロセッサは、任意の従来のプロセッサ、コントローラ、マイクロコントローラ、または状態機械であり得る。プロセッサはまた、コンピューティングデバイスの組合せ(たとえば、DSPとマイクロプロセッサの組合せ、複数のマイクロプロセッサ、DSPコアと連携する1つもしくは複数のマイクロプロセッサ、または任意の他のそのような構成)として実装され得る。
【０１２９】
本明細書で説明する機能は、ハードウェア、プロセッサによって実行されるソフトウェア、ファームウェア、またはそれらの任意の組合せにおいて実装され得る。プロセッサによって実行されるソフトウェアにおいて実装される場合、機能は、1つまたは複数の命令またはコードとしてコンピュータ可読媒体上に記憶されるか、またはコンピュータ可読媒体を介して送信され得る。他の例および実装形態は、本開示および添付の特許請求の範囲の範囲内にある。たとえば、ソフトウェアの性質により、上記で説明した機能は、プロセッサによって実行されるソフトウェア、ハードウェア、ファームウェア、ハードワイヤリング、またはこれらのいずれかの組合せを使用して実装され得る。機能を実装する特徴はまた、機能の部分が異なる物理的ロケーションにおいて実装されるように分散されることを含めて、様々な位置に物理的に位置していてもよい。また、特許請求の範囲を含めて、本明細書で使用する場合、項目のリスト(たとえば、「のうちの少なくとも1つ」または「のうちの1つまたは複数」などの句で終わる項目のリスト)で使用される「または」は、たとえば、A、B、またはCのうちの少なくとも1つのリストがAまたはBまたはCまたはABまたはACまたはBCまたはABC(すなわち、AおよびBおよびC)を意味するように、包括的リストを示す。
【０１３０】
コンピュータ可読媒体は、コンピュータ記憶媒体と、ある場所から別の場所へのコンピュータプログラムの転送を容易にする任意の媒体を含む通信媒体の両方を含む。記憶媒体は、汎用または専用コンピュータによってアクセスされ得る任意の利用可能な媒体であり得る。限定ではなく例として、コンピュータ可読媒体は、RAM、ROM、電気的消去可能プログラマブル読取り専用メモリ(EEPROM)、コンパクトディスク(CD)ROMもしくは他の光ディスクストレージ、磁気ディスクストレージもしくは他の磁気ストレージデバイス、または命令もしくはデータ構造の形態の所望のプログラムコード手段を搬送もしくは記憶するために使用され得、汎用コンピュータもしくは専用コンピュータまたは汎用プロセッサもしくは専用プロセッサによってアクセスされ得る任意の他の媒体を含むことができる。また、いかなる接続も適切にコンピュータ可読媒体と呼ばれる。たとえば、ソフトウェアが、同軸ケーブル、光ファイバケーブル、ツイストペア、デジタル加入者回線(DSL)、または赤外線、無線、およびマイクロ波などのワイヤレス技術を使用して、ウェブサイト、サーバ、または他のリモートソースから送信される場合、同軸ケーブル、光ファイバケーブル、ツイストペア、DSL、または赤外線、無線、およびマイクロ波などのワイヤレス技術は、媒体の定義に含まれる。本明細書で使用するディスク(disk)およびディスク(disc)は、CD、レーザーディスク（登録商標）(disc)、光ディスク(disc)、デジタル多用途ディスク(disc)(DVD)、フロッピーディスク(disk)およびBlu-ray（登録商標）ディスク(disc)を含み、ディスク(disk)は通常、データを磁気的に再生し、ディスク(disc)は、レーザーを用いてデータを光学的に再生する。上記の組合せも、コンピュータ可読媒体の範囲内に含まれる。
【０１３１】
本開示の前述の説明は、当業者が本開示を作製または使用することを可能にするために提供される。本開示への様々な修正は、当業者に容易に明らかになり、本明細書で定義する一般原理は、本開示の範囲から逸脱することなく他の変形形態に適用され得る。したがって、本開示は、本明細書で説明する例および設計に限定されるものではなく、本明細書で開示する原理および新規の特徴と一致する最も広い範囲を与えられるべきである。
【０１３２】
本明細書で説明する技法は、符号分割多元接続(CDMA)システム、時分割多元接続(TDMA)システム、周波数分割多元接続(FDMA)システム、直交周波数分割多元接続(OFDMA)システム、シングルキャリア周波数分割多元接続(SC-FDMA)システム、および他のシステムなどの様々なワイヤレス通信システムに使用され得る。「システム」および「ネットワーク」という用語は、しばしば互換的に使用される。CDMAシステムは、CDMA2000、ユニバーサル地上波無線アクセス(UTRA)などの無線技術を実装し得る。CDMA2000は、IS-2000規格、IS-95規格、およびIS-856規格をカバーする。IS-2000リリース0およびAは、一般に、CDMA2000 1X、1Xなどと呼ばれる。IS-856(TIA-856)は、一般に、CDMA2000 1xEV-DO、高速パケットデータ(HRPD)などと呼ばれる。UTRAは、広帯域CDMA(WCDMA（登録商標）)およびCDMAの他の変形態を含む。TDMAシステムは、モバイル通信用グローバルシステム(GSM（登録商標）)などの無線技術を実装し得る。OFDMAシステムは、ウルトラモバイルブロードバンド(UMB)、発展型UTRA(E-UTRA)、IEEE802.11(Wi-Fi)、IEEE802.16(WiMAX)、IEEE802.20、Flash-OFDMなどの無線技術を実装し得る。UTRAおよびE-UTRAは、ユニバーサルモバイルテレコミュニケーションシステム(UMTS)の一部である。3GPPロングタームエボリューション(LTE)およびLTEアドバンスト(LTE-A)は、E-UTRAを使用するユニバーサルモバイルテレコミュニケーションシステム(UMTS)の新しいリリースである。UTRA、E-UTRA、UMTS、LTE、LTE-A、およびモバイル通信用グローバルシステム(GSM（登録商標）)は、「第3世代パートナーシッププロジェクト」(3GPP)という名称の組織からの文書に記載されている。CDMA2000およびUMBは、「第3世代パートナーシッププロジェクト2」(3GPP2)という名称の組織からの文書に記載されている。本明細書で説明する技法は、上述のシステムおよび無線技術ならびに他のシステムおよび無線技術に使用され得る。ただし、上記の説明
では、例としてLTEシステムについて説明し、上記の説明の大部分においてLTE用語が使用されるが、本技法はLTE適用例以外に適用可能である。
【符号の説明】
【０１３３】
100  ワイヤレス通信システム
105  基地局
110  地理的カバレージエリア
115  UE
125  ワイヤレス通信リンク
130  コアネットワーク
132、134  バックホールリンク
200  ワイヤレス通信サブシステム
203  基地局
204  地理的カバレージエリア
205  ダウンリンク
210  アップリンク
212  UE
215、220  シンボル
301  ダウンリンクHARQタイムライン
302  スケジューリング要求タイムライン
303  薄いシンボルダウンリンクHARQタイムライン
304  薄いシンボルスケジューリング要求タイムライン
305、306  ダウンリンク制御チャネル(DLCCh)、ダウンリンク制御チャネルDLCCh
307  DL制御チャネル(DLCCh)、ダウンリンク制御チャネルDLCCh
308  ダウンリンク制御チャネルDLCCh
310、313  アップリンク制御チャネルULCCh
311  アップリンク制御チャネル(ULCCh)、アップリンク制御チャネルULCCh
312  UL制御チャネル(ULCCh)、アップリンク制御チャネルULCCh
315、316、317、318  コンポーネントキャリアCC1
320、321、322、323、324、325、326、327、328、330、331、333、334、337、340、341、360、361、362、363、370、371  シンボル
335  ダウンリンク復号時間期間、DL復号時間期間
342  シンボル、薄いシンボル
343、344、346  薄いシンボル
350、351、352  アップリンク復号時間期間
353  ダウンリンク復号時間期間
401  プロセスフロー
403、404  基地局
412、413  UE
427、429、431、433、454、455、457、460  DLシンボル期間
428、430、432、434、452、453、456、459  ULシンボル期間
452  第1のULシンボル期間
455  第2のDLシンボル期間
456  第3のULシンボル期間
500  ブロック図
501  デバイス
505  受信機
510  低レイテンシ応答モジュール
515  送信機
600  ブロック図
601  デバイス
604  受信機
605  デコーダ
609  低レイテンシ応答モジュール
610  千鳥状応答モジュール
615  送信機
700  ブロック図
701  低レイテンシ応答モジュール
702  デコーダ
703  千鳥状応答モジュール
705  HARQモジュール
710  SRモジュール
715  薄いTTI応答モジュール
800  システム
803  基地局
805  プロセッサモジュール
810  低レイテンシ応答モジュール
812、813  UE
815  メモリ
820  ソフトウェア(SW)、コンピュータ可読、コンピュータ実行可能ソフトウェア/ファームウェアコード、ソフトウェア/ファームウェアコード
825  同期モジュール
835  トランシーバモジュール
840  アンテナ
845  バス
900  システム
903  基地局
905  プロセッサモジュール
910  基地局低レイテンシ応答モジュール
912、913  UE
915  メモリ
920  ソフトウェア(SW)、コンピュータ可読、コンピュータ実行可能ソフトウェアコード、ソフトウェアコード
925  基地局通信モジュール
930  ネットワーク通信モジュール
935  トランシーバモジュール
940  アンテナ
945  バスシステム
960、961  基地局
970  コアネットワーク
1000  方法
1100  方法
1200  方法
1300  方法
1400  方法
1500  方法
【図１】
0006465975.tif 000002
【図２】
0006465975.tif 000003
【図３Ａ】
0006465975.tif 000004
【図３Ｂ】
0006465975.tif 000005
【図３Ｃ】
0006465975.tif 000006
【図３Ｄ】
0006465975.tif 000007
【図４Ａ】
0006465975.tif 000008
【図４Ｂ】
0006465975.tif 000009
【図５】
0006465975.tif 000010
【図６】
0006465975.tif 000011
【図７】
0006465975.tif 000012
【図８】
0006465975.tif 000013
【図９】
0006465975.tif 000014
【図１０】
0006465975.tif 000015
【図１１】
0006465975.tif 000016
【図１２】
0006465975.tif 000017
【図１３】
0006465975.tif 000018
【図１４】
0006465975.tif 000019
【図１５】
0006465975.tif 000020